(57)【要約】【課題】把持操作および剥離操作の両方を好適に行うことができる医療用器具を提供する。【解決手段】本発明の医療用器具１は、把持面１２ａを有する細長の第一部材１０と、把持面１２ａを有する細長の第二部材５０とを備え、第一部材１０と第二部材５０とが、互いの把持面１２ａを対向させた状態で相対回動可能に連結されている。【選択図】図１
2017104494.tif 000002
【特許請求の範囲】
【請求項１】
把持面を有する細長の第一部材と、
把持面を有する細長の第二部材と、
を備え、
前記第一部材と前記第二部材とが、互いの把持面を対向させた状態で相対回動可能に連結されている、
医療用器具。
【請求項２】
前記第一部材および前記第二部材の一方に設けられたガイド部と、
前記第一部材および前記第二部材の他方に設けられた被ガイド部と、
をさらに備え、
前記第一部材および前記第二部材の先端部を接近させるように前記医療用器具を閉じるときに、前記被ガイド部が前記ガイド部にガイドされることにより、前記第一部材の先端と前記第二部材の先端との位置が一致するように前記医療用器具が閉じられる、
請求項１に記載の医療用器具。
【請求項３】
前記第一部材と前記第二部材との位置関係が所定の初期形状となるように付勢するバネ部材をさらに備える、請求項１または２に記載の医療用器具。
【発明の詳細な説明】
【技術分野】
【０００１】
本発明は、外科手技等に用いられる医療用器具に関する。
【背景技術】
【０００２】
従来、外科手術中には、様々な生体組織を把持したり、剥離したりする操作が行われる。把持操作および剥離操作は、目的の病変に到達する前にも行われるし、目的の病変を処置する際にも行われる。
【０００３】
把持のための医療用器具として、医療用の鑷子が知られている（例えば、特許文献１参照）。剥離のための医療用器具としては、医療用の剥離子が知られている。一般的に、把持と剥離とはそれぞれ別の医療用器具を用いて行われるため、医療用器具を交換するための時間が必要となる。また、把持及び剥離はいずれも高頻度で行われるため、手術時間を長くする一因となっている。
【先行技術文献】
【特許文献】
【０００４】
【特許文献１】特公平６−６１２６号公報
【発明の概要】
【発明が解決しようとする課題】
【０００５】
特許文献１に記載の鑷子は、一対の挟持片の一端部が互いに連結された略Ｖ字形の形状をなす。鑷子の他端部に設けられた挟持面は、初期状態において離間しており、他端部に力を加えて挟持面を接近させた状態から力を緩めると、挟持片の弾性力により挟持面が離間する方向に移動しようとする。
挟持面のこのような動作を剥離操作に利用することは一応可能であるが、鑷子本来の使用法でないこともあり、操作性が悪い。
【０００６】
本発明は、把持操作および剥離操作の両方を好適に行うことができる医療用器具を提供することを目的とする。
【課題を解決するための手段】
【０００７】
本発明は、把持面を有する細長の第一部材と、把持面を有する細長の第二部材とを備え、前記第一部材と前記第二部材とが、互いの把持面を対向させた状態で相対回動可能に連結されている医療用器具である。
【０００８】
本発明の医療用器具は、前記第一部材および前記第二部材の一方に設けられたガイド部と、前記第一部材および前記第二部材の他方に設けられた被ガイド部とをさらに備え、前記第一部材および前記第二部材の先端部を接近させるように前記医療用器具を閉じるときに、前記被ガイド部が前記ガイド部にガイドされることにより、前記第一部材の先端と前記第二部材の先端との位置が一致するように前記医療用器具が閉じられるように構成されてもよい。
【０００９】
本発明の医療用器具は、前記第一部材と前記第二部材との位置関係が所定の初期形状となるように付勢するバネ部材をさらに備えてもよい。
【発明の効果】
【００１０】
本発明の医療用器具によれば、把持操作および剥離操作の両方を好適に行うことができる。
【図面の簡単な説明】
【００１１】
【図１】本発明の第一実施形態に係る医療用器具の正面図である。
【図２】同医療用器具の底面図である。
【図３】同医療用器具の平面図である。
【図４】同医療用器具の左側面図である。
【図５】同医療用器具の右側面図である。
【図６】同医療用器具の背面図である。
【図７】同医療用器具の先端部を拡大して示す図である。
【図８】同医療用器具による把持操作の一例を示す図である。
【図９】同医療用器具による剥離操作の一例を示す図である。
【図１０】本発明の第二実施形態に係る医療用器具の正面図である。
【発明を実施するための形態】
【００１２】
本発明の第一実施形態について、図１から図９を参照して説明する。
図１から６は、本実施形態の医療用器具１を示す６面図であり、図１は正面図、図２は底面図、図３は平面図、図４は左側面図、図５は右側面図、図６は背面図である。図１に示すように、医療用器具１は、細長い棒状の第一部材１０と第二部材５０が回動可能に連結された基本構成を有する。
【００１３】
第一部材１０は、棒状の本体部１１と、本体部１１に設けられた連結部２０およびガイド部２５とを備えている。
本体部１１は、把持及び剥離の際に組織と接触する先端部１２と、ガイド部２５が設けられた基端部１４と、先端部１２と基端部１４との間に配置された中間部１３とを有する。
【００１４】
先端部１２は、先端に近づくにつれて徐々に細くなる先細り状に形成されている。先端部１２には、図１および図２に示すように、把持の際に組織と接触する把持面１２ａと、剥離の際に組織と接触する剥離面１２ｂとが形成されている。第一部材１０において、把持面１２ａは、第二部材５０と対向する側に形成され、剥離面１２ｂは、第一部材１０における把持面と反対側に形成されている。把持面１２ａおよび剥離面１２ｂの形状に特に制限はないが、平坦に形成されるのが好ましい。必要に応じて、公知の表面粗し処理等により、把持面１２ａまたは剥離面１２ｂに微小凹凸を設けて滑り止め機能を付与してもよい。
【００１５】
中間部１３は、長手方向に直交する断面が略半円状に形成されており、曲面状の第一外周面と略平面状の第二外周面とを有する。中間部１３の断面形状は、長手方向において第一外周面の曲率半径が所定周期で増減を繰り返すように形成されている。これにより、中間部１３の第一外周面には、図１および図４に示すように、一定の間隔で節１３ａが形成されており、竹に似た形状を有している。
【００１６】
本実施形態の基端部１４は、長手方向に直交する断面形状が中間部１３と同様であり、中間部１３と連続性を有するように形成されている。基端部１４においては、曲面状の外周面の曲率半径は一定とされており、半円柱状に形成されている。
基端部１４の長手方向に直交する断面形状は、必ずしも中間部１３と同様でなくてもよい。例えば、基端部を板状に形成し、使用者名や使用科等の表示を付与しやすく構成してもよい。
【００１７】
連結部２０は、図１および図６に示すように中間部１３と基端部１４との境界部に設けられ、第二部材５０に向かって突出している。連結部２０には、軸部材２１が挿通される軸孔２０ａが形成されている。
【００１８】
図１および図６に示すように、ガイド部２５は、基端部１４の基端付近に設けられた一対のガイド部材２６および２７を有する。図３に示すように、一対のガイド部材２６、２７は、所定の間隔を空けて略平行に第二部材５０に向かって突出している。
【００１９】
第二部材５０は、第一部材１０と同様に、細長い棒状の基本形状を有し、先端部１２、中間部１３、および基端部１４を備えている。図５に示すように、第二部材５０の中間部１３も複数の節１３ａを有する。第一部材１０と第二部材５０とは、図１および図２に示すように、互いの把持面１２ａが対向するように配置されている。
【００２０】
図１に示すように、第二部材５０に形成された連結部２０は、第一部材１０に設けられたものと同様の形状であり、第一部材１０に向かって突出している。
【００２１】
第二部材５０には、被ガイド部２８が設けられている。図１および図３に示すように、被ガイド部２８の形状は、ガイド部材２６やガイド部材２７と概ね同様であり、第一部材１０に向かって突出して一対のガイド部材２６、２７間に進入している。
【００２２】
第一部材１０と第二部材５０とは、互いの連結部２０の軸孔２０ａが同軸となり、かつ被ガイド部２８がガイド部２５のガイド部材２６、２７間に進入した状態で、軸部材２１が第一部材１０および第二部材５０の軸孔２０ａに挿通されることにより連結されている。これにより、第一部材１０と第二部材５０とは、互いの基端部１４が非接続の状態であり、かつ軸部材２１を回動中心として相対回動することができる。
【００２３】
２つの連結部２０間には、バネ部材３０が配置されている。図１および図６に示すように、バネ部材３０の第一の端部（不図示）は、２つの連結部２０間に固定され、第二の端部３０ａは、第二部材５０に形成された溝３１内に進入している。バネ部材３０は、溝３１の底面を押すことにより、第二部材５０の先端部１２を第一部材１０の先端部から離間するように付勢している。この付勢力はごく小さい値に設定されるのが好ましく、例えば０．１ニュートン（Ｎ）〜１．０Ｎ程度である。
バネ部材３０の付勢力により、医療用器具１は、手を触れない状態において、図１に示すように、一対の先端部１２が互いに離間した初期形状に保持される。初期形状は、バネ部材や溝の形状等を変更することにより、所望の形状に設定することができる。
【００２４】
第一部材１０および第二部材５０の先端部１２は、それぞれ中間部１３とオフセットして接続されており、各先端部１２は、中間部１３よりも対向配置された他方の部材に近い位置にある。また、第一部材１０および第二部材５０の把持面１２ａは、図１に示すように、初期形状において、医療用器具１の先端に近づくにつれて徐々に離間するように形成されている。
これにより、図７に示すように、医療用器具１を閉じて一対の把持面１２ａを略接触するまで接近させても、把持面が設けられていない先端部１２の基端側は離間した状態が維持され、中間部１３間の距離は先端部１２の基端側間よりもさらに長く保持されるため、後述するように箸に近い操作感が実現されている。
【００２５】
上記のように構成された本実施形態の医療用器具１の使用時の動作について説明する。
使用者は、初期形状の医療用器具１を利き手に取り、第一部材１０および第二部材５０をそれぞれ所望の態様で保持する。医療用器具１の持ち方には特に制限はないが、後述する例では、標準的な持ち方の一例として、第一部材１０を親指ＴＨと人差し指Ｆ１との間に挟み、第二部材５０を親指ＴＨ、人差し指Ｆ１、および中指Ｆ２の３本の指を用いて軽く持つ方法を示している。これは、我が国で食事の際に使用する箸の持ち方と概ね同様である。
【００２６】
医療用器具１を保持した状態で、第一部材１０および第二部材５０の一方を他方に対して軸部材２１を中心に回動させると、一対の先端部１２を接近および離間させて医療用器具１を開閉することができる。医療用器具１の開閉に伴い、把持面１２ａおよび剥離面１２ｂも接近および離間するように動作する。
【００２７】
図８に、医療用器具１による把持操作の一例を示す。上述したように、組織等を把持するために把持面１２ａを接近させても、中間部１３間の距離が比較的大きく保たれており、使用者が操作しやすい。
把持操作時にはバネ部材３０による反力が第一部材１０および第二部材５０の先端部１２を離間させる方向に作用するが、バネ部材３０による付勢力がごく小さい値に設定されている場合、生じる反力もごく小さくなる。その結果、把持面１２ａが把持した組織等から受ける反力への影響が著しく小さくなり、使用者は、把持した組織等に関して、硬さ等の性状を正確に把握して適切に手技を進めることができる。
【００２８】
図９に、医療用器具１による剥離操作の一例を示す。剥離する組織等を一対の剥離面１２ｂの一方に接触させた状態で、先端部１２が離間するように第一部材１０と第二部材５０とを相対回動させることにより、組織等を移動させて剥離することができる。
剥離操作時は、先端部１２を所定距離以上離間させると、バネ部材３０が溝３１の底面から離間し、バネ部材３０による付勢力が第二部材５０に作用しなくなる。この状態において、使用者は組織等から受ける反力のみを医療用器具１を通して手に感じることができるため、剥離対象の組織等について、硬さ等の性状や、癒着の程度等の状態などを正確に把握して適切に手技を進めることができる。バネ部材３０が発生させる付勢力を十分に小さく設定した場合は、付勢力が組織等から受ける反力にほとんど影響しないため、バネ部材３０が溝３１の底面から離間しない状態でも同様に組織等の性状や状態等を正確に把握することができる。
【００２９】
以上説明したように、本実施形態の医療用器具１によれば、細長の第一部材１０および第二部材５０が回動可能に連結された構造を有するため、一対の把持片の接続部位が弾性変形を生じるように構成された従来の医療用器具と異なり、開閉操作のいずれにおいても過剰な付勢力や反力が生じない。その結果、使用者は、医療用器具１を保持する手で操作対象の組織から受ける微細な反力も詳細に感知することができ、医療用器具１を用いて把持操作及び剥離操作の両方を適切な大きさの力で好適に行うことができる。したがって、器具交換に要する手間及び時間を省くことができ、手術時間の短縮や患者負担の軽減に貢献することができる。
特に、脳神経外科の領域では、組織等から受ける反力のわずかな違いに基づいて組織等の性状や状態等を判断し、この判断に基づいて、組織に加える力の大きさを細かく調整して手技を行っているため、上記構成がもたらすメリットは著しく大きい。
【００３０】
また、第一部材１０と第二部材５０とは、被ガイド部２８が一対のガイド部材２６、２７の間に配置されていることにより、被ガイド部２８がガイド部２５にガイドされながら相対回動する。その結果、先端部１２の先端の寸法が例えば１ミリメートル以下と細い場合であっても、把持操作時に先端のずれが発生しにくい。したがって、小さな対象物の把持操作であっても確実に行うことができる。
【００３１】
さらに、中間部１３が複数の節１３ａを有する形状であるため、使用者は手の大きさや指の長さ等に応じて適切な節に指を掛けて医療用器具１を保持することができる。したがって、幅広い使用者において、滑りにくく使用しやすい構成とすることができる。
【００３２】
加えて、バネ部材３０が第一部材１０および第二部材５０を初期形状となるように付勢しているため、相対回動可能な構成でありながら、非使用時の形状が初期形状に安定しやすい。したがって、手術時における医療用器具１の受け渡し中に相対回動が生じることを抑制し、受け渡しを円滑に行うことができる。
【００３３】
本実施形態において、ガイド部材の位置と連結部の位置とは逆転されてもよい。すなわち、連結部が基端部に設けられてもよい。さらに、ガイド部材および連結部の両方が中間部あるいは基端部に設けられてもよい。
【００３４】
本発明の医療用器具の開閉動作は、わが国で食事等に用いる箸に近いため、日本で生活する使用者であれば、使い慣れた箸と概ね同様の動作で違和感なく使用することが可能である。日本食の普及等により箸が世界的に使用されるようになった現在では、より多くの使用者が本発明の医療用器具を違和感なく使用することができると推測される。
【００３５】
なお、上述した医療用器具１の保持態様は一例であり、医療用器具１の使用態様がこれにより制限されるものではない。上述した箸が、我が国ならびに世界各地において様々な持ち方で使用されているのと同様に、使用者は自身が使用しやすい態様で医療用器具１を保持し、第一部材１０と第二部材５０とを相対回動させて把持操作及び剥離操作を行うことができる。
【００３６】
本発明の第二実施形態について、図１０を参照して説明する。本実施形態の医療用器具は、ガイド部および被ガイド部の構成において第一実施形態と異なっている。以下の説明において、既に説明したものと共通する構成については、同一の符号を付して重複する説明を省略する。
【００３７】
図１０は、本実施形態の医療用器具１０１を示す正面図である。医療用器具１０１は、ガイド部２５および被ガイド部２８に代えて、ガイド部１２５および被ガイド部１２８を備えている。
【００３８】
ガイド部１２５は、第一部材１０の先端部１２において、第二部材５０に対向する面に設けられた凹部である。被ガイド部１２８は、第二部材５０の先端部１２において、第一部材５０に対向する面から突出するように設けられた突起である。被ガイド部１２８の寸法は、少なくとも一部がガイド部１２５内に進入できるように設定されている。
ガイド部１２５および被ガイド部１２８の位置は、被ガイド部１２８がガイド部１２５内に進入したときに、一対の先端部１２の先端位置が揃うように設定されている。
【００３９】
医療用器具１０１においては、把持操作時に使用者が一対の先端部１２を接近させると、被ガイド部１２８がガイド部１２５にガイドされてガイド部１２５内に進入する。その結果、一対の先端部１２の先端位置がずれなく揃い、好適に把持操作を行うことができる。
【００４０】
本実施形態において、被ガイド部は、対向する第一部材に近づくにつれて細くなる先細り形状であってもよい。この場合、第一部材と第二部材との相対回動時に先端位置にわずかなずれが生じても、所定範囲内であれば誘い込まれてガイド部内に進入するため、先端のずれを好適に修正して先端位置を揃えることができる。
また、ガイド部が有底の凹部でなく、貫通孔として形成されてもよい。
【００４１】
さらに、ガイド部が第二部材に設けられ、被ガイド部が第一部材に設けられてもよい。この点は第一実施形態においても同様である。
【００４２】
以上、本発明の各実施形態について説明したが、本発明の技術範囲は上記実施形態に限定されるものではなく、本発明の趣旨を逸脱しない範囲において異なる実施形態の構成要素を組み合わせたり、各構成要素に種々の変更を加えたり、削除したりすることが可能である。
【００４３】
本発明の医療用器具の材質には特に制限はないが、生体適合性や滅菌処理への耐性等の観点からは、チタンやステンレス鋼等が好ましい。
【００４４】
また、第一部材および第二部材の２つの連結部間には、相対回動時の摩擦を低減するために、シート状の摩擦低減部材が配置されてもよい。これにより、開閉操作時に生じる摩擦抵抗を低減し、組織に加える力の減衰を抑制することができるとともに、把持操作及び剥離操作をより円滑に行うことができる。摩擦低減部材の材質としては、例えばフッ素系樹脂を例示することができる。
【００４５】
さらに、本発明の医療用器具において、第一部材および第二部材を初期形状に付勢するためのバネ部材は必須ではない。バネ部材を備えない場合、非使用時の形状の安定性は若干低下するものの、把持操作と剥離操作との両方を好適に行えるという効果については問題なく発揮される。
また、バネ部材を備える場合に、一対の把持面が接触或いは接近して第一部材と第二部材とが非平行となった状態が初期形状となるように付勢態様を設定してもよい。
また、バネ部材が第一部材および第二部材の一方でなく、両方に設けられてもよい。
【００４６】
本発明の医療用器具の適用領域は、上述した脳外科領域には限られない。他の領域であっても、把持操作と剥離操作を一つの医療機器で行うことにより、手術時間の短縮や患者負担の軽減に貢献することができる。
【符号の説明】
【００４７】
１、１０１  医療用器具
１０  第一部材
１２  先端部
１２ａ  把持面
２５、１２５  ガイド部
２８、１２８  被ガイド部
３０  バネ部材
５０  第二部材
【図１】
2017104494.tif 000003
【図２】
2017104494.tif 000004
【図３】
2017104494.tif 000005
【図４】
2017104494.tif 000006
【図５】
2017104494.tif 000007
【図６】
2017104494.tif 000008
【図７】
2017104494.tif 000009
【図８】
2017104494.tif 000010
【図９】
2017104494.tif 000011
【図１０】
2017104494.tif 000012